【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
アダプターから電力を受け取り、電力を負荷に供給するように接続し得る電源システムであって、
再充電可能なバッテリーと、
バックモードとブーストモードとの間でダイナミックにスイッチし得、前記バックモードにおいて前記バッテリを充電するために、又は前記バッテリーからの電力が前記アダプターからの電力と合計されて前記負荷に電力が供給される前記ブーストモードにおいて前記アダプター出力電圧を合計するために、アダプター出力電圧に結合し得る、バック／ブーストコンバータ回路と、
前記負荷に電力を供給するために、前記バックモードと前記ブーストモードとの間で前記コンバータ回路をスイッチングするスイッチング回路と、
を含み、
前記負荷により必要とされる前記電力が、第１の所定の時間の間にアダプター過負荷状態に関連する第１の所定のレベルに達する場合に、前記スイッチング回路が、前記バックモードからスイッチし、前記充電可能なバッテリーと前記ブーストモードで動作している前記コンバータ回路とを前記負荷に接続する、システム。
【請求項２】
請求項１に記載のシステムであって、
前記第１の所定のレベルが、前記負荷により確立されるダイナミック電力管理レベルの前記電流の第１の所定のパーセントにより確立され、これが、前記アダプターによって供給され得る電力レベルを下回る電力レベルに関連する、システム。
【請求項３】
請求項２に記載のシステムであって、
前記負荷により確立されるダイナミック電力管理レベルの前記電流の前記第１の所定のパーセントが約１０５％である、システム。
【請求項４】
請求項１に記載のシステムであって、
前記負荷により必要とされる前記電力が、第２の所定の時間の間に前記アダプター過負荷状態に関連する第２の所定のレベルを下回り、前記ブーストモードで動作している前記コンバータ回路と前記再充電可能なバッテリーとが前記負荷に接続されている場合に、前記ブーストモードで動作している前記コンバータ回路と前記充電可能なバッテリーとが前記負荷から切断され、前記コンバータ回路の前記バックモードでの動作が開始される、システム。
【請求項５】
請求項４に記載のシステムであって、
前記負荷により必要とされる前記電力が、前記アダプター過負荷状態に関連する第３の所定のレベルを下回り、前記ブーストモードで動作している前記コンバータ回路と前記再充電可能なバッテリーとが前記負荷に接続されている場合に、前記ブーストモードで動作している前記コンバータ回路と前記充電可能なバッテリーとが前記負荷から切断され、前記コンバータ回路の前記バックモードでの動作が開始され、前記第３の所定のレベルが前記第２の所定のレベルより小さい、システム。
【請求項６】
負荷に接続可能な電源システムにおいて、前記電源システムが、再充電可能なバッテリーと充電回路と電源ソースから電力を受け取るように接続され得るアダプターとを有し、前記充電回路が、
通常動作モードにおいて前記負荷に電力を選択的に供給するためにバックモードで作動し、アダプター過負荷動作モードにおいて前記負荷に電力を選択的に供給するためにブーストモードで作動し得るコンバータと、
前記バックモードとブーストモードとの間で前記コンバータをスイッチングするスイッチング回路要素と、
を含み、
前記負荷により必要とされる前記電力がアダプターが過負荷状態に達する場合に、前記充電回路がシャットダウンし、所定の時間待機し、
前記所定の時間の後に、前記アダプター過負荷状態がまだ存在するかを判定するために前記充電回路が確認し、更に
前記アダプター過負荷がまだ存在する場合に、前記充電回路が前記バックモードから前記ブーストモードに変わり、前記負荷に電力を供給するために前記バッテリーからの電力がブーストモードコンバータを介して前記バッテリーからの電力と合計される、システム。
【請求項７】
請求項６に記載のシステムであって、
前記アダプターがまだ前記アダプター過負荷状態にあるかを判定するための前記確認が、システム電流に基づく、システム。
【請求項８】
請求項６に記載のシステムであって、
前記アダプター過負荷状態がプログラマブル電流閾値回路により感知される、システム。
【請求項９】
請求項６に記載のシステムであって、
前記ブーストモードが前記負荷において高すぎる電圧を生成しないように、前記ブーストモードをディセーブルするためのアダプター過電圧保護回路を更に含む、システム。
【請求項１０】
請求項６に記載のシステムであって、
予め設定された時間後に前記コンバータを前記ブーストモードから前記バックモードに変えるように構成されるウォッチドッグタイマーを更に含む、システム。
【請求項１１】
請求項１０に記載のシステムであって、
制御ループが飽和し、アダプター電流が所定のレベルを上回る場合に、ブーストモード動作を停止するための制御ループ飽和検出回路を更に含む、システム。
【請求項１２】
再充電可能なバッテリーと、バックモードとブーストモード回路とを有するコンバータとを有する充電器回路を動作させるための方法であって、
通常動作モードにおいて負荷に電力を供給するように前記バックモードで前記コンバータを動作させることと、
前記充電器回路への入力電流を検知することと、
前記入力電流が、前記負荷により確立されるダイナミック電力管理レベルの電流の第１の所定のパーセントを超える場合に、第１の所定の時間の間に前記充電器回路をシャットダウンさせることと、
前記入力電流が、前記第１の所定の時間の後に、前記負荷により確立されるダイナミック電力管理レベルの電流の前記第１の所定のパーセントを超え続ける場合に、前記ブーストモードを開始することであって、前記負荷に電力を供給するために前記バッテリーからの電力がブーストモードコンバータを介して前記アダプターからの電力と合計される、前記ブーストモードを開始することと、
を含む、方法。
【請求項１３】
請求項１２に記載の方法であって、
前記第１の所定の時間が少なくとも１００μｓである、方法。
【請求項１４】
請求項１２に記載の方法であって、
前記ダイナミック電力管理レベルが、前記アダプターを過負荷状態から保護するような方式で前記負荷を動作させるように確立される入力電流レベルである、方法。
【請求項１５】
請求項１２に記載の方法であって、
前記入力電流が第１の所定のレベルより小さい場合に、前記ブーストモードを停止し、前記充電可能なバッテリーを前記負荷から切断し、前記バックモードを開始する、方法。
【請求項１６】
請求項１５に記載の方法であって、
前記所定の量が、１０ミリオーム検知レジスタで約１Ａより小さい、方法。
【請求項１７】
請求項１５に記載の方法であって、
前記入力電流が前記第１の所定のレベルを上回り、且つ、第２の所定の時間の間前記負荷により確立されるダイナミック電力管理レベルの前記電流の第２の所定のパーセントより小さい場合に、前記ブーストモードを停止し、前記充電可能なバッテリーを前記負荷から切断し、前記バックモードを開始する、方法。
【請求項１８】
請求項１７に記載の方法であって、
前記第２の所定の時間が約１ｍｓである、方法。
【請求項１９】
請求項１７に記載の方法であって、
前記第１の所定の量が、１０ミリオーム検知レジスタで１Ａより大きい、方法。
【請求項２０】
請求項１７に記載の方法であって、
前記第２の所定のパーセントが、前記負荷により確立される前記ダイナミック電力管理レベルの約９３パーセントより小さい、方法。